(57)【要約】  電子デバイスのアンテナ配置及びデバイス。アンテナ配置は、二つのラジエータ素子（２、３）を含む。該二つのラジエータ素子の第一のラジエータ素子（２）は、給電素子（５）に接続される。該二つのラジエータ素子の第二のラジエータ素子（３）は、受動素子であり、そして接地面（７）に接続される。第一のラジエータ素子は（２）、エネルギーを放射することによって第二のラジエータ素子（３）に給電するように配置される。
2014534763.tif 000002
【特許請求の範囲】
【請求項１】
二つのラジエータ素子（２、３）を含んでなるアンテナ配置であって、
該二つのラジエータ素子の第一のラジエータ素子（２）は、給電素子（５）に接続され、
該二つのラジエータ素子の第二のラジエータ素子（３）は、受動素子であり、及び接地面（７）に接続され、
第一のラジエータ素子（２）は、エネルギーを放射することによって第二のラジエータ素子（３）に給電するように配置される、
ことを特徴とする、上記アンテナ配置。
【請求項２】
第一のラジエータ素子（２）が、螺旋素子であることを特徴とする、請求項１に記載のアンテナ配置。
【請求項３】
第二のラジエータ素子（３）が、逆Ｌ型の素子であることを特徴とする、請求項１又は２に記載のアンテナ配置。
【請求項４】
第二のラジエータ素子（３）が、蛇行素子であることを特徴とする、請求項１又は２に記載のアンテナ配置。
【請求項５】
第一のラジエータ素子（２）が、第二のラジエータ素子（３）を通して５０オームに合わせられることを特徴とする、請求項１〜４の何れか１項に記載のアンテナ配置。
【請求項６】
二つのアンテナ（１０、１０’）を構築している二つの第一のラジエータ素子（２、２’）及び二つの第二のラジエータ素子（３、３’）を含むことによって特徴付けられる、請求項１〜５の何れか１項に記載のアンテナ配置。
【請求項７】
少なくとも二つのラジエータ素子（２、３）を含んでなる電子デバイスであって、
該二つのラジエータ素子の第一のラジエータ素子（２）は、給電素子（５）を通して電子デバイス（４）の電子機器に接続され、
該二つのラジエータ素子の第二のラジエータ素子（３）は、受動素子であり、そして電子デバイス（４）中の接地面（７）に接続され、
第一のラジエータ素子は（２）、エネルギーを放射することによって第二のラジエータ素子（３）に給電するように配置される、
ことを特徴とする、上記電子デバイス。
【請求項８】
第一のラジエータ素子（２）が、螺旋素子であることを特徴とする、請求項７に記載の電子デバイス。
【請求項９】
第二のラジエータ素子（３）が、逆Ｌ型の素子であることを特徴とする、請求項７又は８に記載の電子デバイス。
【請求項１０】
第二のラジエータ素子（３）が、蛇行素子であることを特徴とする、請求項７又は８に記載の電子デバイス。
【請求項１１】
第一のラジエータ素子（２）が、第二のラジエータ素子（３）を通して５０オームに合わせられることを特徴とする、請求項７〜１０の何れか１項に記載の電子デバイス。
【請求項１２】
二つのアンテナ（１０、１０’）を構築している二つの第一のラジエータ素子（２、２’）及び二つの第二のラジエータ素子（３、３’）を含むことによって特徴付けられる、請求項７〜１１の何れか１項に記載の電子デバイス。
【請求項１３】
第一のラジエータ素子（２）の主軸が、電子デバイス（１）の幅と平行に配置されることを特徴とする、請求項７〜１２の何れか１項に記載の電子デバイス。
【請求項１４】
第一のラジエータ素子（２）の主軸が、電子デバイス（１）の長さと平行に配置されることを特徴とする、請求項７〜１２の何れか１項に記載の電子デバイス。
【発明の詳細な説明】
【背景技術】
【０００１】
本発明は、二つのラジエータ素子を含むアンテナ配置に関する。
【０００２】
本発明は、更に、少なくとも二つのラジエータ素子（ｒａｄｉａｔｏｒ  ｅｌｅｍｅｎｔ）を含む電子デバイスに関する。
【０００３】
複数の周波数帯域を使用する無線通信に対する需要は、常に増大している。
【発明の概要】
【発明が解決しようとする課題】
【０００４】
これに関連する問題は、従来のアンテナ配置が、スイッチなどの動的機器を使用することなしでは、特に低い周波数帯域をカバーできないことである。
【課題を解決するための手段】
【０００５】
（簡単な説明）
第一の態様から見ると、給電素子に接続された前記二つのラジエータ素子の第一のラジエータ素子、受動素子（ｐａｓｓｉｖｅ  ｅｌｅｍｅｎｔ）であり及び接地面（ｇｒｏｕｎｄ  ｐｌａｎｅ）に接続された前記二つのラジエータ素子の第二のラジエータ素子を含むアンテナ配置を提供でき、ここで、第一のラジエータ素子は、エネルギーを放射することによって第二のラジエータ素子に給電するように配置される。
【０００６】
そうすることによって、低周波数帯域をカバーする能力を有する簡単なアンテナ配置が達成され得る。
【０００７】
更なる態様から見ると、給電素子を通して、電子デバイスの電子装置（ｅｌｅｃｔｒｏｎｉｃｓ）に接続された前記二つのラジエータ素子の第一のラジエータ素子、受動素子であり及び電子デバイスにおける接地面に接続された前記二つのラジエータ素子の第二のラジエータ素子を含んでなる電子デバイスを提供でき、ここで、第一のラジエータ素子は、エネルギーを放射することによって第二のラジエータ素子に給電するように配置される。
【０００８】
本発明は、アンテナが、電子デバイス中に省スペースな方法で設置されるという利点も提供し得る。
【０００９】
本発明の実施態様は、広い範囲の周波数帯域がカバーされるという利点も供し得る。
【００１０】
アンテナ配置及び電子デバイスは、独立クレームの特徴部分において述べられているものによって特徴付けられる。幾つかの他の実施態様は、他のクレームにおいて述べられているものによって特徴付けられる。発明の実施態様は、明細書及びこの特許出願の図面においても開示される。特許出願の発明の内容は、以下のクレームにおいて定義された以外の方法においても定義され得る。発明の内容は、特に、本発明が、明確に表された又は暗に示されたサブタスクに照らして、又は得られた便益又は便益グループ（ｂｅｎｅｆｉｔ  ｇｒｏｕｐ）に関して調べられる場合、幾つかの別の発明も成立し得る。以下のクレーム中に含まれる定義の幾つかは、次いで、別の発明の思想に関して不必要であってもよい。本発明の異なる実施態様の特徴は、基本的な発明の思想の範囲内で、他の実施態様に適用され得る。
【００１１】
好ましい構造において、アンテナ配置は二つのラジエータ素子を含み、ここで該二つのラジエータ素子の第一のラジエータ素子は給電素子に接続され、該二つのラジエータ素子の第二のラジエータ素子は受動素子であり及び接地面に接続され、第一のラジエータ素子は、エネルギーを放射することによって第二のラジエータ素子に給電するように配置される。
【００１２】
一つの実施態様において、第一のラジエータ素子は螺旋素子である。
【００１３】
一つの実施態様において、第二のラジエータ素子は逆Ｌ型の素子である。
【００１４】
一つの実施態様において、第二のラジエータ素子は蛇行素子である。
【００１５】
一つの実施態様において、第一のラジエータ素子は、第二のラジエータ素子を通して５０オームに合わせられる。
【００１６】
一つの実施態様において、アンテナ配置は、二つのアンテナを構築している二つの第一のラジエータ素子及び二つの第二のラジエータ素子を含む。
【００１７】
別の好ましい構造において、電子デバイスは少なくとも二つのラジエータ素子を含み、ここで、該二つのラジエータ素子の第一のラジエータ素子は、給電素子を通して電子デバイスの電子機器に接続され、該二つのラジエータ素子の第二のラジエータ素子は受動素子であり及び電子デバイス中の接地面に接続され、第一のラジエータ素子は、エネルギーを放射することによって第二のラジエータ素子に給電するように配置される。
【００１８】
一つの実施態様において、第一のラジエータ素子は螺旋素子である。
【００１９】
一つの実施態様において、第二のラジエータ素子は逆Ｌ型の素子である。
【００２０】
一つの実施態様において、第二のラジエータ素子は蛇行素子である。
【００２１】
一つの実施態様において、第一のラジエータ素子は、第二のラジエータ素子を通して５０オームに合わせられる。
【００２２】
一つの実施態様において、電子デバイスは、二つのアンテナを構築している二つの第一のラジエータ素子及び二つの第二のラジエータ素子を含む。
【００２３】
一つの実施態様において、第一のラジエータ素子の主軸は、電子デバイスの幅と平行に配置される。
【００２４】
一つの実施態様において、第一のラジエータ素子の主軸は、電子デバイスの長さと平行に配置される。
【００２５】
本開示を説明している幾つかの実施態様が、添付図面においてより詳細に述べられる。
【図面の簡単な説明】
【００２６】
【図１ａ】例示的アンテナ配置及び電子デバイスの模式的斜視図である。
【図１ｂ】図１ａにおいて示された例示的アンテナ配置及び電子デバイスの別の模式的斜視図である。
【図１ｃ】図１ａ及び１ｂにおいて示された例示的アンテナ配置及び電子デバイスの模式的側面図である。
【図２ａ】別の例示的アンテナ配置及び電子デバイスの模式的斜視図である。
【図２ｂ】図２ａにおいて示された例示的アンテナ配置及び電子デバイスの別の模式的斜視図である。
【図２ｃ】図２ａ及び２ｂにおいて示された例示的アンテナ配置及び電子デバイスの模式的側面図である。
【図３】第三の例示的アンテナ配置の模式的斜視図である。
【図４】第四の例示的アンテナ配置の模式図である。
【図５ａ】第五の例示的アンテナ配置の模式的斜視図である。
【図５ｂ】第五の例示的アンテナ配置の模式的斜視図である。
【図６】第六の例示的アンテナ配置の模式的斜視図である。
【図７ａ】第七の例示的アンテナ配置の模式的斜視図である。
【図７ｂ】第七の例示的アンテナ配置の模式的斜視図である。
【図７ｃ】第七の例示的アンテナ配置の模式的斜視図である。
【図８ａ】第八の例示的アンテナ配置の模式的斜視図である。
【図８ｂ】第八の例示的アンテナ配置の模式的斜視図である。
【図９】第九の例示的アンテナ配置の模式的斜視図である。
【図１０ａ】例示的アンテナ配置の性質の測定値の模式的表示である。
【図１０ｂ】例示的アンテナ配置の性質の測定値の模式的表示である。
【図１１ａ】別の例示的アンテナ配置の測定値の模式的表示である。
【図１１ｂ】別の例示的アンテナ配置の測定値の模式的表示である。
【図１１ｃ】別の例示的アンテナ配置の測定値の模式的表示である。
【図１２】例示的螺旋素子の模式的側面図である。
【発明を実施するための形態】
【００２７】
図において、幾つかの実施態様は簡明を期すために単純化して示される。図において、類似の部分は同じ参照符号を用いて印される。
（詳細な説明）
【００２８】
図１ａは、例示的アンテナ配置及び電子デバイスの模式的斜視図、図１ｂは、別の模式的斜視図、そして図１ｃは模式的側面図である。
アンテナ配置１は、図１ａにおいて点線によって描かれている電子デバイス４の一部分である。
【００２９】
電子デバイス４は、携帯電話、通信機などの、少なくとも部分的に無線で機能する幾つかの他の携帯の又は固定位置の通信手段、又は、パームトップコンピュータ、携帯コンピュータ、ゲームコンソール又はコントローラ、オーディオ及び／又は視覚資料用のプレイバックデバイス、パルスカウンタ、符号読み取り機、測定目的のために意図されたそして無線で機能する送信機及び／又は受信機などの、幾つかの他の携帯電子デバイスなどであり得る。
【００３０】
アンテナ配置１は、二つのラジエータ素子、つまり、第一のラジエータ素子２及び第二のラジエータ素子３を含むアンテナ１０を構築する。しかしながら、尚、アンテナ配置１は二つ以上のラジエータ素子、及び一つ以上のアンテナ１０も含み得る。
【００３１】
第一のラジエータ素子２は螺旋素子９を含む。螺旋素子は螺旋構成において巻かれる金属ストリップ又はワイア等の導電性材料で作られる。螺旋構成は（図中に示されていない）コア素子上に置き得る。螺旋素子９の寸法は変わり得る。その長さは、好ましくは、５〜３０ミリメータ、そして直径は３〜５ミリメータの範囲内である。螺旋素子は、少なくとも一巻き（ｏｎｅ  ｔｕｒｎ）のストリップ又はワイアを含むが、好ましくは２〜１０巻き又はそれより多くさえも含む。図１２は例示的螺旋素子の模式的側面図である。螺旋素子９は二つの螺旋セクションを含む。第一の螺旋セクションのピッチ間隔Ｐ１は、第二の螺旋セクションのピッチ間隔Ｐ２より大きい。Ｐ１は、例えば、３．２ミリメータ、そしてＰ２は、例えば、１．２ミリメータであり得る。この種の二重ピッチ螺旋は、二つの周波数帯域をカバーする単一給電アンテナ配置を設計することを可能にする二つの共鳴を生み出し得て、一方は、例えば、ＧＳＭ８５０及び／又はＧＳＭ９００用の、より低い周波数帯域用のもの、及び他方は、ＧＳＭ１８００及び／又は１９００及び／又はＵＭＴＳなどの、より高い周波数帯域用のもの。別の実施態様によれば、螺旋素子９のピッチ間隔はその全長で一定であり得る。
【００３２】
第一のラジエータ素子２の主軸Ａは、電子デバイス１の幅方向Ｗと平行である。別の実施態様によれば、主軸Ａは、電子デバイス１の長さ方向Ｌと平行に配置され得る。更に別の実施態様によれば、主軸Ａは、電子デバイス１の幅方向Ｗとも長さ方向Ｌとも平行でない軸と平行に配置され得る。主軸Ａはまた、デバイスカバーの高さに平行に、すなわち、方向Ｌ及びＷに直交方向に配置され得る。
【００３３】
第一のラジエータ素子２は電子デバイス１の電子装置に対して、すなわち、デバイスのアンテナポートに対して、給電素子５に接続される。該電子装置は、ＰＷＢ（プリント配線版）などの回路板８に配置され得る。給電素子５は、特別な周波数での電磁信号の受信及び／又は送信に構成される。
【００３４】
図１ａ〜１ｃにおいて示される給電素子５は流電結合素子（ｇａｌｖａｎｉｃ  ｃｏｕｐｌｉｎｇ  ｅｌｅｍｅｎｔ）である。あるいは、給電素子５は、第一のラジエータ素子２とアンテナポートの間の容量結合又は誘導結合を含み得る。
【００３５】
給電素子５は整合素子及び／又はダイプレクサを含み得る。もし存在するならば、第一のラジエータ素子２の共鳴周波数範囲を整合する（ｍａｔｃｈ）ための整合素子（ｍａｔｃｈｉｎｇ  ｅｌｅｍｅｎｔ）は、好ましくは、アンテナポートの近くに配置される。
【００３６】
ここで、尚、第一のラジエータ素子２は、螺旋である必要はなく、幾つかの別のアンテナ構成も利用され得る。
【００３７】
第二のラジエータ素子３は、接地素子６を通して接地面７に接続される。接地面７は、例えば、デバイスの回路板８に配置され得る。
【００３８】
第二のラジエータ素子３は、アンテナポートに直接的には接続されない。第二
のラジエータ素子３は、第一のラジエータ素子２において生み出されるエネルギーを放射することによって給電される受動素子である。実施態様において、第一のラジエータ素子２によって生み出される第一の共鳴、及び第二のラジエータ素子３によって生み出される第二の共鳴は、共鳴に組み合わされ得る。
【００３９】
第一のラジエータ素子２、又はその共鳴は、第二のラジエータ素子３を通して、例えば、５０オーム又は他の適切なインピーダンスに整合させられる。
【００４０】
本発明の思想によれば、第一及び第二のラジエータ素子２は、アンテナ１０を通して処理された放射エネルギー送信し及び／又は受信する。
【００４１】
図１ａ〜１ｃにおいて示された第二のラジエータ素子３のタイプは、逆Ｌ型の素子である。
【００４２】
ラジエータ素子２、３は、アルミニウム、亜鉛、鋼、ステンレス鋼、マグネシウム、銅又は合金などの、金属の板で作られ得る。
【００４３】
あるいは、ラジエータ素子２、３の材料は、導電性プラスチック又は導電材料（種々の形態における金属、セラミック、炭素など）をその中にドーピングすることによって導電性にされたプラスチック混合物であり得る。ラジエータ素子２、３は、上でリストアップされた材料の如何なる組合せ、例えば、金属とプラスチックの組合せとしても製造され得る。
【００４４】
図２ａは、別の例示的アンテナ配置及び電子デバイスの模式的斜視図であり、図２ｂはその別の模式的斜視図であり、そして図２ｃはその模式的側面図である。
【００４５】
ここで、第二のラジエータ素子３は蛇行素子である。蛇行タイプの素子は、アンテナ配置の共鳴長さ及び周波数範囲を伸ばすために特に有利である。尚、第二のラジエータ素子３は、電子デバイス４中に嵌入する如何なる適切な形状又はアンテナタイプをも有し得る。このように、第二のラジエータ素子３は、折り畳まれたダイポールアンテナ、ループアンテナ、Ｆ形状アンテナ、ＰＩＦＡアンテナなどのようなアンテナ形状を有し得る。デバイスの電子装置への接続、第二のラジエータ素子３の接地及び第一のラジエータ素子の特徴は図１ａ〜１ｃに関連付けて論じられたように実現され得る。
【００４６】
図３は第三の例示的アンテナ配置の模式的斜視図である。図１ａ〜２ｃにおいて示された実施態様において、アンテナ配置１は、アンテナ１０を構築する一つの第一のラジエータ素子２及び一つの第二のラジエータ素子３を含む。図３において示されたアンテナ配置１の実施態様は、それが二つの第一のラジエータ素子２、２’及び二つの第二のラジエータ素子３、３’を含むという点で該実施態様と異なる。該ラジエータ素子は二つのアンテナ、第一のアンテナ１０及び第二のアンテナ１０’を構築する。
【００４７】
両方のアンテナ１０、１０’は一つの第一のラジエータ素子２、２’及び一つの第二のラジエータ素子３、３’を含む。該アンテナ１０、１０’は、上述の通りに作動するが、好ましくは異なる周波数帯域上で作動する。
【００４８】
アンテナの共鳴周波数は、典型的に、４００ＭＨｚ〜２．５ＧＨｚの波数範囲にある。実施態様によれば、共鳴周波数範囲は、７００〜９６０ＭＨｚである。別の実施態様によれば、共鳴周波数範囲は、１７００〜２２００ＭＨｚである。第三の実施態様によれば、アンテナ配置は二つのアンテナ１０、１０’を含み、ここで、第一のアンテナ１０は、１７００〜２２００ＭＨｚの第一の周波数範囲に調整され、そして、第二のアンテナ１０’は、１７００〜２２００ＭＨｚの第二の周波数範囲に調整される。
【００４９】
アンテナ配置１は、一つ以上のＧＳＭ（登録商標）周波数範囲、ＧＳＭ８５０、ＧＳＭ９００、ＧＳＭ１８００、及び／又はＧＳＭ１９００、又は、例えば、Ｗｉ−Ｆｉ、Ｗｌａｎ、ＵＭＴＳ、ＷＣＤＭＡ（登録商標）、ＬＴＥ又は幾つかの他の対応する無線ネットワーク技術による周波数範囲に適合され得る。当然、他の適切なより高い周波数及び周波数範囲も可能である。
【００５０】
例えば、図１において示された第一のラジエータ素子及び第二のラジエータ素子として螺旋素子を含む単独フィードアンテナ配置は、より低い周波数範囲（６９４〜９６０ＭＨｚ）及びより高い周波数範囲（１７１０〜２１７０ＭＨｚ）でのＧＳＭ（登録商標）及びＬＴＥ周波数の両方をカバーし得る。
【００５１】
第一のアンテナ１０は、より小さい寸法を有し、そしてより高い周波数帯域に対して調整され得て、一方、第二のアンテナ１０’はより大きい寸法を有し、そしてより低い周波数帯域に対して調整され得る。
【００５２】
第一のラジエータ素子２、２’の両者は、給電素子５、５’を通して、それぞれ、それ自身のアンテナポートに接続される。第二のラジエータ素子３、３’は、接地素子６、６’を通して、それぞれ、接地面７に接続される。別の実施態様によれば、第一のアンテナ１０は第二のアンテナ１０’として異なる接地面を有する。該接地面は電気的に互いから絶縁され得る。
【００５３】
ここで、尚、全ての実施態様において、接地面７は、デバイスの回路板にばかりではなく、ディスプレイユニット、バッテリー、補助回路板など及び／又は導電材料の他の十分大きな領域にも構成され得る。接地面７は、例えば、銅積層体、可撓性フィルム、ステンレス鋼材などで製造され得る。
【００５４】
アンテナ配置１は、電子デバイス中に種々の方法、例えば、デバイスの上方端に、デバイスの下方端に、デバイスの左又は右側に、及び／又はデバイスの上部カバー及び／又は底部カバー中に置かれ得る。二つ又は更にそれより多くのアンテナ１０、１０’を含むアンテナ配置１はまた、分散した方法で、例えば、第一のアンテナ１０がデバイスの上方端で、そして第二のアンテナ１０’  が下方端に置かれ得る。
【００５５】
図４は、第四の例示的アンテナ配置の模式図である。
【００５６】
第二のラジエータ素子３は、一つ以上の点で接地面７に接続され得る。図４において示された実施態様において、第二のラジエータ素子３は、接地素子６のみならず、第二の１１及び第三の１２の接地素子も通して、接地面７に接続される。尚、追加の一つ又は複数の接地素子の数は一つ以上であり得る。
【００５７】
第二の１１及び第三の１２の接地素子は、一つ以上の、一つ又は複数の整合素子１３を含み得る。整合素子１３は、例えば、キャパシタンス又はインダクタンス、及び／又は能動素子、例えば、スイッチ又は可変キャパシタンスを有する機器（ｃｏｍｐｏｎｅｎｔ）を有する受動素子を含み得る。
【００５８】
同様に、第一のラジエータ素子２は、それを通してそれが接地面７に接続される第二の整合素子１４を含み得る。
【００５９】
図５ａ〜５ｂは第五の例示的アンテナ配置の模式的斜視図である。これは、第二のラジエータ素子３として蛇行素子を含む。蛇行素子の主要部分は、接地面７の面に垂直な面の中に配置されるが、それはまた、接地面７の該面と平行な面の中に配置される第二の部分を含む。
【００６０】
図５ｂは、それを通して、第二のラジエータ素子３が、接地面７などの接地面に接続され得る、オプションの第二の接地素子１１を示している。
【００６１】
デバイスの電子装置への接続、第二のラジエータ素子３の接地及び第一のラジエータ素子の特徴は、先の図１ａ〜４に関連付けて論じられたように実現され得る。
【００６２】
図６は、第六の例示的アンテナ配置の模式的斜視図である。この配置は、一つの第一のラジエータ素子２及び二つの第二のラジエータ素子３、３’を含む。第二のラジエータ素子３、３’は、異なる周波数範囲に対して寸法取りされ（ｄｉｍｅｎｓｉｏｎｅｄ）そして調整される（ｔｕｎｅｄ）。
【００６３】
図７ａ〜７ｃは、第七の例示的アンテナ配置の模式的斜視図である。これは、接地面７と平行な面の中に配置される、平らな形状の第二のラジエータ素子３を含む。
【００６４】
図８ａ〜８ｂは、第八の例示的アンテナ配置の模式的斜視図である。第二のラジエータ素子３は、螺旋素子９の軸と平行な、そしてまた螺旋アンテナの軸に直交する形状も有する。
【００６５】
図９は第九の例示的アンテナ配置の模式的斜視図である。ここで、第二のラジエータ素子３は、放射素子のループ又は折り畳まれたダイポールタイプである。それは、二つの接地素子６、１１によって接地面７に接地される。尚、接地素子６、１１の位置は変わり得る。
【００６６】
別の実施態様において、ループ又は折り畳まれたダイポールタイプの第二の放射素子３は、ただ一つの接地素子によって接地面に接続される。
【００６７】
図１０ａ〜１０ｂは、例示的アンテナ配置の特性の測定値の模式的表示である。
【００６８】
例示的アンテナ配置１のレイアウトは、図１ａにおいて示されたものと類似していた。例示的アンテナ配置１は、第一のラジエータ素子２として螺旋素子を含んでいた。螺旋素子９は、その直径が０．４ミリメータで、そしてプラスチック製の円筒状キャリア素子の周りに、７回巻きされた銅ワイアからなる。螺旋素子の長さは１４ミリメータ、そして円筒状キャリア素子の直径は４ミリメータであった。
【００６９】
接地面７は矩形で、そしてその寸法は１０５ミリメータ×５５ミリメータであった。それは１ミリメータのＦＲ−４銅積層体で作られた。
【００７０】
図１０ａは、例示的アンテナ配置の反射減衰量（Ｓ１１）を示している。直ぐに気付くであろう通り、７００と９６０ＭＨｚの間の低周波数での反射減衰量は良好なレベルである。ここで、尚、測定は、測定された周波数範囲に対して５０オームに検量されたネットワークアナライザ（Ｎｅｔｗｏｒｋ  Ａｎａｌｙｚｅｒ）を用いて、なされた。
【００７１】
図１０ｂは、例示的アンテナ配置の反射減衰量（Ｓ１１）の全放射効率を示している。尚、「ＦＳ」はフリースペース（Ｆｒｅｅ  Ｓｐａｃｅ）のことである。「ＢＨ」はビサイドヘッド（ｂｅｓｉｄｅ  ｈｅａｄ）のことであり、そして「左」及び「右」は、ヘッドプロトタイプのどちら側が測定中に置かれたかを示す。見られるように、最も重要な量、すなわち、フリースペース中に放射された効率は、非常に良好なレベルにある。
【００７２】
図１１ａ〜１１ｃは、第二の例示的アンテナ配置の測定値の模式的表示である。
【００７３】
例示的アンテナ配置１のレイアウトは、図３において示されたものと類似していた、すなわち、それはローバンドアンテナ及びハイバンドアンテナを含んでいた。両方のアンテナは、第一のラジエータ素子又は能動素子として螺旋素子を、そして第二の素子又は受動素子として逆Ｌ型の素子を含んでいた。
【００７４】
螺旋素子は、その直径が０．４ミリメータの銅ワイアで作られた。ローバンドアンテの螺旋素子は、５．５巻きのワイアからなり、そしてその長さは１２ミリメータ、そして直径は４ミリメータであった。
【００７５】
ハイバンドアンテナの螺旋素子は、２．５巻きのワイアからなり、そしてその長さは６ミリメータ、そして直径は４ミリメータであった。
【００７６】
アンテナの高さは５ミリメータであった。これは第二のラジエータ素子の頂部から接地面７までの距離である。
【００７７】
アンテナの接地面７は矩形で、そしてその寸法は１１０ミリメータ×５５ミリメータであった。それは１ミリメータの厚みのＦＲ−４銅積層体で作られた。
【００７８】
図１１ａは、第二の例示的アンテナ配置のＳ−パラメータの測定値の結果を示している。見られるように、二重給電解決策（ｄｕａｌ  ｆｅｅｄ  ｓｏｌｕｔｉｏｎ）は効果があり、そして或る周波数範囲に対して設計された二つのアンテナは、互いに近接して置くことができる。
【００７９】
図１１ｂは、スミス図表における第二の例示的アンテナ配置のアンテナインピーダンス表示を示している。これは、アンテナインピーダンスが（５０オーム）のスミス図表の中心に近い、すなわち、アンテナがよく整合されていることを示す。
【００８０】
図１１ｃは、第二の例示的アンテナ配置の全放射効率を示している。グラフは、アンテナ配置の電気的性能が、携帯電話又は他の携帯電子デバイスに対するアンテナに対してなされる要求を満たすことができることを示す。
【００８１】
本発明は、上述の実施態様にのみ制限されるものではなく、代わりに、以下の請求の範囲によって定義された発明の概念の範囲内で多くの変更が可能である。本発明の概念の範囲内で、異なる実施態様及びアプリケーションの特性は、別の実施態様又はアプリケーションの特性と併せて使用でき又は置き換えることができる。
【００８２】
図面及び関連する記述は、本発明の思想を説明することのみを意図される。本発明は、以下の請求の範囲において定義された発明の思想の範囲内で詳細において変わり得る。
【図１ａ】
2014534763.tif 000003
【図１ｂ】
2014534763.tif 000004
【図１ｃ】
2014534763.tif 000005
【図２ａ】
2014534763.tif 000006
【図２ｂ】
2014534763.tif 000007
【図２ｃ】
2014534763.tif 000008
【図３】
2014534763.tif 000009
【図４】
2014534763.tif 000010
【図５ａ】
2014534763.tif 000011
【図５ｂ】
2014534763.tif 000012
【図６】
2014534763.tif 000013
【図７ａ】
2014534763.tif 000014
【図７ｂ】
2014534763.tif 000015
【図７ｃ】
2014534763.tif 000016
【図８ａ】
2014534763.tif 000017
【図８ｂ】
2014534763.tif 000018
【図９】
2014534763.tif 000019
【図１１ｂ】
2014534763.tif 000020
【図１２】
2014534763.tif 000021
【図１０ａ】
2014534763.tif 000022
【図１０ｂ】
2014534763.tif 000023
【図１１ａ】
2014534763.tif 000024
【図１１ｃ】
2014534763.tif 000025
【手続補正書】
【提出日】平成26年5月13日(2014.5.13)
【手続補正１】
【補正対象書類名】特許請求の範囲
【補正対象項目名】全文
【補正方法】変更
【補正の内容】
【特許請求の範囲】
【請求項１】
二つのラジエータ素子（２、３）、
給電素子（５）に接続された該二つのラジエータ素子の第一のラジエータ素子（２）であって、
エネルギーを放射することによって第二のラジエータ素子（３）に給電するよう配置された第一のラジエータ素子（２）、
を含んでなるアンテナ配置であって、
該二つのラジエータ素子の第二のラジエータ素子（３）が受動素子であり、及び接地面（７）に接続され、そして
第二のラジエータ素子（３）が蛇行素子である、
ことを特徴とする、上記アンテナ配置。
【請求項２】
第一のラジエータ素子（２）が、螺旋素子であることを特徴とする、請求項１に記載のアンテナ配置。
【請求項３】
第二のラジエータ素子（３）が、逆Ｌ型の素子であることを特徴とする、請求項１又は２に記載のアンテナ配置。
【請求項４】
第一のラジエータ素子（２）が、第二のラジエータ素子（３）を通して５０オームに合わせられることを特徴とする、請求項１〜３の何れか１項に記載のアンテナ配置。
【請求項５】
二つのアンテナ（１０、１０’）を構築している二つの第一のラジエータ素子（２、２’）及び二つの第二のラジエータ素子（３、３’）を含むことによって特徴付けられる、請求項１〜４の何れか１項に記載のアンテナ配置。
【請求項６】
少なくとも二つのラジエータ素子（２、３）、
給電素子（５）を通して電子デバイス（４）の電子機器に接続された該二つのラジエータ素子の第一のラジエータ素子（２）であって、
エネルギーを放射することによって第二のラジエータ素子（３）に給電するよう配置された第一のラジエータ素子（２）、
を含んでなるアンテナ配置であって、
該二つのラジエータ素子の第二のラジエータ素子（３）が受動素子であり、及び電子デバイス（４）中の接地面（７）に接続され、そして
第二のラジエータ素子（３）が蛇行素子である、
ことを特徴とする、上記電子デバイス。
【請求項７】
第一のラジエータ素子（２）が、螺旋素子であることを特徴とする、請求項６に記載の電子デバイス。
【請求項８】
第二のラジエータ素子（３）が、逆Ｌ型の素子であることを特徴とする、請求項６又は７に記載の電子デバイス。
【請求項９】
第一のラジエータ素子（２）が、第二のラジエータ素子（３）を通して５０オームに合わせられることを特徴とする、請求項６〜８の何れか１項に記載の電子デバイス。
【請求項１０】
二つのアンテナ（１０、１０’）を構築している二つの第一のラジエータ素子（２、２’）及び二つの第二のラジエータ素子（３、３’）を含むことによって特徴付けられる、請求項６〜９の何れか１項に記載の電子デバイス。
【請求項１１】
第一のラジエータ素子（２）の主軸が、電子デバイス（１）の幅と平行に配置されることを特徴とする、請求項６〜１０の何れか１項に記載の電子デバイス。
【請求項１２】
第一のラジエータ素子（２）の主軸が、電子デバイス（１）の長さと平行に配置されることを特徴とする、請求項６〜１０の何れか１項に記載の電子デバイス。
【国際調査報告】
2014534763.tif 000026
2014534763.tif 000027
2014534763.tif 000028
2014534763.tif 000029